(57)【要約】【課題】本発明は、無線認証機能を利用して、情報処理装置による報知出力に対して携帯無線装置によって適切に対処することができる情報処理装置を提供することを目的とする。【解決手段】情報処理装置２１は、所定の認証処理を実施可能な複数の無線装置１１との間で通信可能な情報処理装置であって、所定の認証処理を行う無線装置を他の無線装置へ切り替えるための切替信号を他の無線装置へ送信する無線部２０１と、切替信号の送信先に基づいて、情報処理装置２１の設定を変更する駆動制御部４０とを有する構成としている。【選択図】図１
2009130622.tif 000002
【特許請求の範囲】
【請求項１】
所定の認証処理を実施可能な複数の無線装置との間で通信可能な情報処理装置であって、
前記所定の認証処理を行う無線装置を他の無線装置へ切り替えるための切替信号を前記他の無線装置へ送信する送信部と、
前記切替信号の送信先に基づいて、当該情報処理装置の設定を変更する設定変更部と
を有する情報処理装置。
【請求項２】
請求項１に記載の情報処理装置であって、更に、
前記送信部によって前記切替信号を送信する際、前記切替信号を送信する旨を報知する報知部を有する情報処理装置。
【請求項３】
請求項１または２に記載の情報処理装置であって、
前記複数の無線装置には、所定の位置に設置される設置無線装置と、携帯可能な携帯無線装置とが含まれる情報処理装置。
【請求項４】
請求項３に記載の情報処理装置であって、更に、
前記無線装置を探索するためのサーチ要求信号に対する前記設置無線装置からの応答を示すサーチ信号を受信する受信部と、
前記受信部による前記サーチ信号の受信レベルを測定する受信レベル測定部と、
を有し、
前記送信部は、前記受信レベルが所定レベルよりも高い場合、前記所定の認証処理を行う無線装置を前記携帯無線装置から前記設置無線装置へ切り替えるための前記切替信号を送信する情報処理装置。
【請求項５】
請求項３に記載の情報処理装置であって、更に、
前記無線装置を探索するためのサーチ要求信号に対する前記設置無線装置からの応答を示す設置サーチ信号および前記携帯無線装置からの応答を示す携帯サーチ信号を受信する受信部と、
前記受信部による前記設置サーチ信号の受信レベルを示す設置受信レベルおよび前記携帯サーチ信号の受信レベルを示す携帯受信レベルを測定する受信レベル測定部と、
を有し、
前記送信部は、前記設置受信レベルが所定レベルよりも低い場合、かつ、前記携帯受信レベルが前記所定レベルよりも高い場合、前記所定の認証処理を行う無線装置を前記設置無線装置から前記携帯無線装置へ切り替えるための前記切替信号を送信する情報処理装置。
【請求項６】
所定の認証処理を実施可能な無線装置であって、
情報処理装置との間で前記所定の認証処理を行う無線装置を他の無線装置から当該無線装置へ切り替えるための切替信号を受信する受信部と、
前記受信部によって前記切替信号を受信した際、前記切替信号を受信した旨を報知する報知部と
を有する無線装置。
【請求項７】
所定の認証処理を実施可能な複数の無線装置と情報処理装置との間で通信を行う場合の前記情報処理装置の設定変更方法であって、
前記情報処理装置との間で前記所定の認証処理を行う無線装置を他の無線装置へ切り替えるための切替信号を前記情報処理装置から前記他の無線装置へ送信するステップと、
前記切替信号の送信先に基づいて、前記情報処理装置の設定を変更するステップと
を有する設定変更方法。
【請求項８】
請求項７に記載の設定変更方法の各ステップをコンピュータに実行させるためのプログラム。
【発明の詳細な説明】
【技術分野】
【０００１】
本発明は、所定の認証処理を実施可能な複数の無線装置との間で通信可能な情報処理装置、所定の認証処理を実施可能な無線装置、情報処理装置の設定変更方法、およびプログラムに関する。
【背景技術】
【０００２】
近年、無線装置の一例であるワイヤレスキーから受信する電波の受信強度が所定値以上であり、かつその無線通信を利用して送受信する信号を基にワイヤレスキーとの認証に成功したと判定した場合にロックを解除し、ワイヤレスキーから受信する電波の受信強度が所定値未満である場合やワイヤレスキーとの上記認証に失敗したと判定した場合にロックする、無線認証機能を備えた情報処理装置が提案されている（例えば、特許文献１）。実用化されている情報処理装置の一例としては、ワイヤレスキーと無線認証を行ってドア鍵の施錠または解錠を行う自動車、または、ワイヤレスキーと無線認証を行って操作キーによる受付を拒否または許可する携帯電話、等が挙げられる。
【０００３】
【特許文献１】特開２００４−１４３８０６号公報
【発明の開示】
【発明が解決しようとする課題】
【０００４】
上記のワイヤレスキーは、外出時には基本的にユーザに携帯されるため、基本的に情報処理処理装置との無線認証に成功するが、例えば家に帰った場合には、ユーザに常に携帯されるとは限らず、情報処理装置との無線認証に失敗する場合がある。また、鞄やサイフなどにワイヤレスキーを入れたままにしておくと、情報処理装置とワイヤレスキーとの距離が離れてしまうため、情報処理装置とワイヤレスキーとの無線認証に失敗する可能性がある。さらに、上記のような無線認証の失敗を避けるために、場所に応じて、その都度、手動で情報処理装置の設定変更や機能解除をするのは面倒である。
【０００５】
本発明は、上記事情に鑑みてなされたもので、無線装置と情報処理装置との間で無線認証を行う際に、ユーザの利便性を向上させることが可能な情報処理装置、無線装置、設定変更方法、およびプログラムを提供することを目的とする。
【課題を解決するための手段】
【０００６】
上記目的を達成するために、本発明の第１の情報処理装置は、所定の認証処理を実施可能な複数の無線装置との間で通信可能な情報処理装置であって、前記所定の認証処理を行う無線装置を他の無線装置へ切り替えるための切替信号を前記他の無線装置へ送信する送信部と、前記切替信号の送信先に基づいて、当該情報処理装置の設定を変更する設定変更部とを有する構成としている。
【０００７】
この構成により、無線装置と情報処理装置との間で無線認証を行う際に、ユーザの利便性を向上させることが可能である。
【０００８】
また、本発明の第２の情報処理装置は、前記送信部によって前記切替信号を送信する際、前記切替信号を送信する旨を報知する報知部を有する構成としている。
【０００９】
この構成により、ユーザは、切替信号が送信され、所定の認証処理を行う無線装置が変更されたことを当該情報処理装置により認識することが可能となり、ユーザの利便性が向上する。
【００１０】
また、本発明の第３の情報処理装置は、前記複数の無線装置には、所定の位置に設置される設置無線装置と、携帯可能な携帯無線装置とが含まれる構成としている。
【００１１】
この構成により、例えば、設置無線装置（マスターＫＥＹ）が設置された屋内では設置無線装置との間で所定の認証処理を行い、屋外では携帯無線装置との間で所定の認証処理を行うことで、高い安全性を確保するとともに、ユーザの利便性を向上させることが可能である。
【００１２】
また、本発明の第４の情報処理装置は、前記無線装置を探索するためのサーチ要求信号に対する前記設置無線装置からの応答を示すサーチ信号を受信する受信部と、前記受信部による前記サーチ信号の受信レベルを測定する受信レベル測定部と、を有し、前記送信部が、前記受信レベルが所定レベルよりも高い場合、前記所定の認証処理を行う無線装置を前記携帯無線装置から前記設置無線装置へ切り替えるための前記切替信号を送信する構成としている。
【００１３】
この構成により、例えば、屋外から設置無線装置が設置された屋内へ移動する場合に、設置無線装置からの信号の受信レベルが所定レベル以上となった場合に、自動的に設置無線装置との認証処理に切り替えることができ、ユーザの利便性が向上する。
【００１４】
また、本発明の第５の情報処理装置は、前記無線装置を探索するためのサーチ要求信号に対する前記設置無線装置からの応答を示す設置サーチ信号および前記携帯無線装置からの応答を示す携帯サーチ信号を受信する受信部と、前記受信部による前記設置サーチ信号の受信レベルを示す設置受信レベルおよび前記携帯サーチ信号の受信レベルを示す携帯受信レベルを測定する受信レベル測定部と、を有し、前記送信部が、前記設置受信レベルが所定レベルよりも低い場合、かつ、前記携帯受信レベルが前記所定レベルよりも高い場合、前記所定の認証処理を行う無線装置を前記設置無線装置から前記携帯無線装置へ切り替えるための前記切替信号を送信する構成としている。
【００１５】
この構成により、例えば、設置無線装置が設置された屋内から屋外へ移動する場合に、設置無線装置からの信号の受信レベルが所定レベル以下となり、携帯無線装置からの信号の受信レベルが上記所定レベル以上となった場合に、自動的に携帯無線装置との認証処理に切り替えることができ、ユーザの利便性が向上する。
【００１６】
また、本発明の第１の無線装置は、所定の認証処理を実施可能な無線装置であって、情報処理装置との間で前記所定の認証処理を行う無線装置を他の無線装置から当該無線装置へ切り替えるための切替信号を受信する受信部と、前記受信部によって前記切替信号を受信した際、前記切替信号を受信した旨を報知する報知部とを有する構成としている。
【００１７】
この構成により、無線装置と情報処理装置との間で無線認証を行う際に、ユーザの利便性を向上させることが可能である。
【００１８】
また、本発明の第１の設定変更方法は、所定の認証処理を実施可能な複数の無線装置と情報処理装置との間で通信を行う場合の前記情報処理装置の設定変更方法であって、前記情報処理装置との間で前記所定の認証処理を行う無線装置を他の無線装置へ切り替えるための切替信号を前記情報処理装置から前記他の無線装置へ送信するステップと、前記切替信号の送信先に基づいて、前記情報処理装置の設定を変更するステップとを有する方法としている。
【００１９】
この方法により、無線装置と情報処理装置との間で無線認証を行う際に、ユーザの利便性を向上させることが可能である。
【００２０】
また、本発明の第１のプログラムは、上記設定変更方法の各ステップをコンピュータに実行させるためのプログラムとしている。
【００２１】
このプログラムにより、無線装置と情報処理装置との間で無線認証を行う際に、ユーザの利便性を向上させることが可能である。
【発明の効果】
【００２２】
本発明によれば、無線装置と情報処理装置との間で無線認証を行う際に、ユーザの利便性を向上させることが可能である。
【発明を実施するための最良の形態】
【００２３】
以下、本発明の実施形態の情報処理装置、無線装置、設定変更方法、およびプログラムについて詳細に説明する。
【００２４】
本発明の実施形態の情報処理装置には、セキュリティ向上の観点から、当該情報処理装置に備わる機能の少なくとも一部に制限が加えられている。本発明の実施形態の無線装置と情報処理装置の間では、この制限を解除するために、所定の認証処理が後述する通信認証シーケンスによって行われる。この通信認証シーケンスには、無線装置と情報処理装置の間の通信モードとして、所定の認証処理を行うための無線装置を探索するためのサーチモードと、探索された無線装置と情報処理装置の間で所定の認証処理を行い、情報処理装置の機能制限を解除するための認証モードとがある。
【００２５】
本発明の実施形態の無線装置として、ユーザに携帯される携帯無線装置と、例えば屋内の所定の位置に配置される設置無線装置とがある。なお、携帯無線装置、設置無線装置は複数あってもよい。
【００２６】
［無線装置と情報処理装置の位置関係］
図５は、本発明の実施形態の無線装置および情報処理装置の位置関係の一例を示す図である。図５では、ユーザが情報処理装置２１を屋内で使用する場合を想定している。設置無線装置１１Ｂ（図５のマスターＫＥＹ１１Ｂに相当）は屋内の所定の位置に配置されている。屋内では、ユーザが携帯無線装置１１Ａ（図５のサブＫＥＹ１１Ａに相当）を携帯しない場合も多い。この場合であっても、所定の条件を満たすときに設置無線装置１１Ｂとの認証処理に成功し、使用権限が与えられれば、情報処理装置２１の機能制限を解除することが可能である。
【００２７】
図６は、本発明の実施形態の無線装置および情報処理装置の位置関係の一例を示す図である。図６では、ユーザが情報処理装置を屋外で使用する場合を想定している。設置無線装置１１Ｂ（図６のマスターＫＥＹ１１Ｂに相当）は屋内の所定の位置に配置されている。屋外では、ユーザが携帯無線装置１１Ａ（図６のサブＫＥＹ１１Ａに相当）を携帯する場合が多い。また、設置無線装置１１Ｂとの間で認証処理を行うことはできない。この場合であっても、所定の条件を満たすときに携帯無線装置１１Ａとの認証処理に成功し、使用権限が与えられれば、情報処理装置２１の機能制限を解除することが可能である。
【００２８】
また、ユーザが情報処理装置２１を所持し、屋外から屋内へ移動する場合や屋外から屋内から屋外へ移動する場合には、情報処理装置２１は、携帯無線装置１１Ａから設置無線装置１１Ｂへ認証処理の通信相手を切り替えたり、設置無線装置Ｂから携帯無線装置１１Ａへ認証処理の通信相手を切り替えたりすることがある。このような切替は、後述する通信認証シーケンスによって行われる。
【００２９】
なお、以下の説明において、単に無線装置１１として説明する場合には、携帯無線装置１１Ａおよび設置無線装置１１Ｂ共通に説明しているものとする。
【００３０】
［無線装置と情報処理装置の間での無線認証シーケンス］
次に、無線認証を開始していない無線装置および情報処理装置による処理、および、相手装置と無線認証を開始し、無線認証を継続する無線装置および情報処理装置による一連の処理について、説明する。
【００３１】
図１に、本発明の実施形態の無線装置および情報処理装置によるサーチモード時のシーケンスを示す。図１では、先に携帯無線装置１１Ａのサーチに成功し、その後に設置無線装置１１Ｂのサーチに成功した場合の一例について示している。
【００３２】
無線装置１１の一例である携帯無線装置１１Ａ（図１ではサブＫＥＹ）および設置無線装置１１Ｂ（図１ではマスターＫＥＹ）は、ある周期Ｔでサーチチャネルのキャリアセンスを繰り返す（携帯無線装置１１Ａおよび設置無線装置１１Ｂは、図１における「○」で示す時点で、サーチチャネルのキャリアセンスを実施している。）。
【００３３】
一方、情報処理装置２１は、少なくとも無線装置１１のキャリアセンス周期Ｔ以上の期間、サーチ要求信号を送信する（図１におけるサーチ要求信号を表す太矢印の幅が、キャリアセンス周期Ｔ以上の期間に対応）。情報処理装置２１は、無線装置１１のキャリアセンスＴ以上の期間、サーチ要求信号を送信することによって、無線装置１１にサーチ要求信号を受信させることができるようにしている。なお、情報処理装置２１は、無線装置１１から送信されるサーチ信号を受信することが無いまま所定の回数サーチ要求信号を送信した場合、サーチ要求信号の送信を停止する、あるいはサーチ要求信号を送信する周期を長くすることによって、情報処理装置２１の省電力化を図るようにしてもよい。
【００３４】
携帯無線装置１１Ａは、キャリアセンス実行時に、無線通信圏内にいる情報処理装置２１からサーチ要求信号を受信すると、情報処理装置２１にサーチ信号を送信する。そして、情報処理装置２１は、サーチ信号を受信し、サーチ応答を携帯無線装置１１Ａに送信する。
【００３５】
サーチ応答を受信した携帯無線装置１１Ａは、自機（携帯無線装置１１Ａ）を識別する識別符号を含むキーＩＤ信号を情報処理装置２１に送信する。そのキーＩＤ信号を受信した情報処理装置２１は、そのキーＩＤ信号に含まれる識別符号と、自機（情報処理装置２１）がデータとして予め記憶している識別符号（この識別符号は、無線認証を行う上で情報処理装置２１と対になる携帯無線装置１１Ａの識別符号である。）と、が一致するか否かを判定し、一致していれば自機（情報処理装置２１）を識別する識別符号を含む端末ＩＤ信号を携帯無線装置１１Ａに送信する。なお、携帯無線装置１１Ａおよび情報処理装置２１は、無線認証を開始する前に、ペアリング処理を実施してお互いの識別符号を交換し、自装置の識別符号と相手装置の識別符号とを一対のものとして登録している。
【００３６】
端末ＩＤ信号を受信した携帯無線装置１１Ａは、以後、情報処理装置２１との間でチャレンジアンドレスポンス方式を用いた信号の送受信を行う。すなわち、端末ＩＤ信号を受信した携帯無線装置１１Ａは、チャレンジリクエスト信号を情報処理装置２１に送信する。チャレンジリクエスト信号を受信した情報処理装置２１は、乱数を発生させて生成したチャレンジ信号を携帯無線装置１１Ａに送信するとともに、そのチャレンジ信号を携帯無線装置１１Ａと共通の暗号化処理によって暗号化した暗号化信号を記憶する。チャレンジ信号を受信した携帯無線装置１１Ａは、このチャレンジ信号に対して情報処理装置２１と共通の暗号化処理を行って生成したレスポンス信号を情報処理装置２１に送信する。レスポンス信号を受信した情報処理装置２１は、そのレスポンス信号と、チャレンジ信号を携帯無線装置１１Ａに送信したときに記憶しておいた暗号化信号と、を比較し照合する。情報処理装置２１は、それらの信号が一致していれば、携帯無線装置１１Ａとの認証に成功したと判定し、認証に成功した旨を知らせるＡＣＫ信号を携帯無線装置１１Ａに送信する。携帯無線装置１１Ａは、そのＡＣＫ信号を受信する。
【００３７】
上述したシーケンスのうち、情報処理装置２１がサーチ要求信号の送信を開始してから携帯無線装置１１ＡがＡＣＫ信号を受信するまでの期間をサブＫＥＹの通信モード（情報処理装置２１と携帯無線装置１１Ａの間の通信モード）がサーチモードである期間と称する（なお、情報処理装置２１がサーチ要求信号の送信を開始してから携帯無線装置１１Ａが端末ＩＤ信号を受信するまでの期間をサブＫＥＹの通信モードがサーチモードである期間、携帯無線装置１１Ａがチャレンジリクエスト信号を送信してから携帯無線装置１１ＡがＡＣＫ信号を受信するまでの期間をサブＫＥＹの通信モードが初期（プレ）認証モードである期間、とそれぞれ称されることがある。）。また、ＡＣＫ信号を送信または受信した以降、情報処理装置２１および携帯無線装置１１Ａは、サブＫＥＹの通信モードが後述する認証モードに遷移することになる。
【００３８】
認証モードへサブＫＥＹの通信モードが遷移しても、情報処理装置２１は、引き続き無線装置１１へある周期でサーチ要求信号を送信する。また、携帯無線装置１１Ａは、定期的にサーチチャネルのキャリアセンスを繰り返す。携帯無線装置１１Ａは、情報処理装置２１からのサーチ要求信号を受信した場合には、サーチ要求信号に対する応答を示すＡＣＫ信号を情報処理装置２１へ送信する。
【００３９】
一方、認証モードへサブＫＥＹの通信モードが遷移しても、携帯無線装置１１Ａと同様に、設置無線装置１１Ｂは、定期的にサーチチャネルのキャリアセンスを繰り返す。設置無線装置１１Ｂは、情報処理装置２１からのサーチ要求信号を受信した場合には、情報処理装置２１にサーチ信号を送信する。そして、情報処理装置２１は、サーチ信号を受信する。そして、情報処理装置２１は、このサーチ信号の受信レベルが所定レベル以上であるか否かを判定する。そして、情報処理装置２１は、サーチ信号の受信レベルが所定レベル以上であると判定した場合、サーチ応答を設置無線装置１１Ｂに送信する。なお、情報処理装置２１は、図１に示すように、短期間に、サーチ要求信号に対する携帯無線装置１１ＡからのＡＣＫ信号およびサーチ要求信号に対する設置無線装置１１Ｂからのサーチ信号を受信することがあるが、ＡＣＫ信号およびサーチ信号の送信元を参照することで、設置無線装置１１Ｂからの信号であることを識別可能である。この送信元の情報は、識別符号でもよいし、電文の中に送信元を示す他の識別情報を含めても良い。
【００４０】
サーチ応答を受信した設置無線装置１１Ｂは、自機（設置無線装置１１Ｂ）を識別する識別符号を含むキーＩＤ信号を情報処理装置２１に送信する。そのキーＩＤ信号を受信した情報処理装置２１は、そのキーＩＤ信号に含まれる識別符号と、自機（情報処理装置２１）がデータとして予め記憶している識別符号（この識別符号は、無線認証を行う上で情報処理装置２１と対になる設置無線装置１１Ｂの識別符号である。）と、が一致するか否かを判定し、一致していれば自機（情報処理装置２１）を識別する識別符号を含む端末ＩＤ信号を設置無線装置１１Ｂに送信する。なお、設置無線装置１１Ｂおよび情報処理装置２１は、無線認証を開始する前に、ペアリング処理を実施してお互いの識別符号を交換し、自装置の識別符号と相手装置の識別符号とを一対のものとして登録している。
【００４１】
端末ＩＤ信号を受信した設置無線装置１１Ｂは、以後、情報処理装置２１との間でチャレンジアンドレスポンス方式を用いた信号の送受信を行う。すなわち、端末ＩＤ信号を受信した設置無線装置１１Ｂは、チャレンジリクエスト信号を情報処理装置２１に送信する。チャレンジリクエスト信号を受信した情報処理装置２１は、乱数を発生させて生成したチャレンジ信号を設置無線装置１１Ｂに送信するとともに、そのチャレンジ信号を設置無線装置１１Ｂと共通の暗号化処理によって暗号化した暗号化信号を記憶する。チャレンジ信号を受信した設置無線装置１１Ｂは、このチャレンジ信号に対して情報処理装置２１と共通の暗号化処理を行って生成したレスポンス信号を情報処理装置２１に送信する。レスポンス信号を受信した情報処理装置２１は、そのレスポンス信号と、チャレンジ信号を設置無線装置１１Ｂに送信したときに記憶しておいた暗号化信号と、を比較し照合する。情報処理装置２１は、それらの信号が一致していれば、設置無線装置１１Ｂとの認証に成功したと判定し、認証に成功した旨を知らせるＡＣＫ信号を設置無線装置１１Ｂに送信する。設置無線装置１１Ｂは、そのＡＣＫ信号を受信する。
【００４２】
上述したシーケンスのうち、情報処理装置２１がサーチ要求信号の送信を開始してから設置無線装置１１ＢがＡＣＫ信号を受信するまでの期間を期間をマスターＫＥＹの通信モード（情報処理装置２１と設置無線装置１１Ｂの間の通信モード）がサーチモードである期間と称する（なお、情報処理装置２１がサーチ要求信号の送信を開始してから設置無線装置１１Ｂが端末ＩＤ信号を受信するまでの期間をマスターＫＥＹの通信モードがサーチモードである期間、設置無線装置１１Ｂがチャレンジリクエスト信号を送信してから設置無線装置１１ＢがＡＣＫ信号を受信するまでの期間をマスターＫＥＹの通信モードが初期（プレ）認証モードである期間、とそれぞれ称されることがある。）。また、ＡＣＫ信号を送信または受信した以降、情報処理装置２１および設置無線装置１１Ｂは、マスターＫＥＹの通信モードが後述する認証モードに遷移することになる。
【００４３】
情報処理装置２１は、ＡＣＫ信号を送信することでマスターＫＥＹの通信モードが認証モードに遷移すると、サブＫＥＹの通信モードを認証モードからサーチモードへ切り替えるための切替信号を携帯無線装置１１Ａに送信する。切替信号は，携帯無線装置１１Ａを省電力化するための省電力信号を含む。携帯無線装置１１Ａは、切替信号を受信し、サブＫＥＹの通信モードをサーチモードへ切り替え、省電力化を行う。省電力化では、例えば携帯無線装置１１Ａのキャリアセンスの間隔を長くする。また、ＣＰＵの動作状態を低消費電力モードに設定することで、不要な電力消費を抑え、電池寿命を長くする。
【００４４】
ところで、情報処理装置２１は、上述のシーケンスで示した各種信号の送受信を行うと共に、無線装置１１から受信した各種信号のうち、一部の信号（または全ての信号）の受信強度を計測する、または、情報処理装置２１から受信した信号の受信強度を計測する無線装置１１からその受信強度を通知されている。
【００４５】
レスポンス信号を受信した情報処理装置２１は、無線装置１１との認証に成功したと判定した場合、そのレスポンス信号を受信するまでに計測したまたは通知された信号の受信強度が所定値未満であれば、ＡＣＫ信号を無線装置１１に送信して認証モードに遷移するものの、情報処理装置２１に備わる機能の少なくとも一部に対する制限を継続する。一方、情報処理装置２１は、そのレスポンス信号を受信するまでに計測したまたは通知された信号の受信強度が所定値以上であれば、ＡＣＫ信号を無線装置１１に送信して認証モードに遷移し、情報処理装置２１に備わる機能の少なくとも一部に対する制限を解除する。
【００４６】
なお、図１では、先に携帯無線装置１１Ａが認証モードとなり、後に設置無線装置１１Ｂが認証モードとなる例を説明したが、先に設置無線装置１１Ｂが認証モードとなる場合には、設置無線装置１１Ｂと情報処理装置２１との間のサーチ信号およびサーチ応答信号の送受信処理は、携帯無線装置１１Ａと情報処理装置２１との間のサーチ信号およびサーチ応答信号の送受信処理と同様である。
【００４７】
次に、マスターＫＥＹの通信モードが認証モードである場合のシーケンスについて、説明する。図２および図３に、本発明の実施形態の無線装置および情報処理装置によるマスターＫＥＹの通信モードが認証モード時のシーケンスを示す。設置無線装置１１Ｂおよび情報処理装置２１は、相手装置との同期をとるために、設置無線装置１１Ｂが、レスポンス信号を情報処理装置２１に送信した時点を起点として計時を開始し、一方、情報処理装置２１が、レスポンス信号を設置無線装置１１Ｂから受信した時点を起点として計時を開始するものとする。なお、設置無線装置１１Ｂおよび情報処理装置２１がレスポンス信号を送受信した時点を起点として計時を開始するよう説明したが、他の信号を同期信号に用いても構わない。また、情報処理装置２１は、設置無線装置１１Ｂから受信する各種信号のフレーム同期に合わせて、計時時刻を補正するものとする。
【００４８】
設置無線装置１１Ｂは、情報処理装置２１から送信される信号を受信すべく、計時を開始してから２Ｔの周期で認証チャネルおよびサーチチャネルのキャリアセンスを繰り返す。マスターＫＥＹの通信モードが認証モードに遷移した情報処理装置２１は、以後、設置無線装置１１Ｂが認証チャネルおよびサーチチャネルのキャリアセンスするタイミングに合わせるために、同期をとった時点から２Ｔの周期の任意の時点で、サーチ要求信号を携帯無線装置１１Ａおよび設置無線装置１１Ｂに送信する。このサーチ要求信号を受信した後の無線装置１１の動作については後述する。なお、このサーチ要求信号は、キャリアセンスの間隔を長くした場合の携帯無線装置１１Ａが受信可能となる程度に所定の期間送信することが可能である。
【００４９】
また、設置無線装置１１Ｂは、計時を開始してからＴの周期で、サーチチャネルのキャリアセンスを実施する場合がある。設置無線装置１１Ｂによるサーチチャネルのキャリアセンスは、設置無線装置１１と対に設定されている情報処理装置が複数台設置無線装置１１Ｂに登録されており、一台でも無線認証を行っていない情報処理装置がある場合、無線認証を行っていない情報処理装置から送信されてくる信号を受信するために、実施される。なお、設置無線装置１１Ｂは、認証チャネルのキャリアセンスを実施するタイミングとサーチチャネルのキャリアセンスを実施するタイミングとが重複する場合があるが、このような場合、認証チャネルのキャリアセンスを先に行い、情報処理装置からの電波を検出できない場合にサーチチャネルのキャリアセンスを行う、という処理で対応する。
【００５０】
なお、情報処理装置２１および設置無線装置１１Ｂにおいて、サーチチャネルのキャリアセンスでは、サーチ要求信号およびサーチ要求信号に対する応答を示すＡＣＫ信号が検出され、認証チャネルのキャリアセンスでは、チャレンジ信号およびレスポンス信号が検出される。
【００５１】
情報処理装置２１は、マスターＫＥＹの通信モードが認証モードに遷移する直前のレスポンス信号を受信してから時間２Ｔが経過したとき、その時点までに乱数を発生させて生成しておいたチャレンジ信号を設置無線装置１１Ｂに送信するとともに、そのチャレンジ信号と、そのチャレンジ信号を携帯無線装置１１と共通の暗号化処理によって暗号化した暗号化信号と、を記憶する。チャレンジ信号を受信した設置無線装置１１Ｂは、このチャレンジ信号と、このチャレンジ信号に対して情報処理装置２１と共通の暗号化処理を行って生成したレスポンス信号と、を記憶するとともに、そのレスポンス信号を情報処理装置２１に送信する。レスポンス信号を受信した情報処理装置２１は、そのレスポンス信号と、チャレンジ信号を設置無線装置１１Ｂに送信したときに記憶しておいた暗号化信号と、を比較し照合する。情報処理装置２１は、それらの信号が一致していれば、設置無線装置１１Ｂとの認証に成功したと判定する。なお、情報処理装置１１は、定期的に認証を行うために、前回のチャレンジ信号の設置無線装置１１Ｂへの送信（後述する再送を除く）から時間１６Ｔが経過する毎に、チャレンジ信号を送信する。
【００５２】
なお、情報処理装置２１は、設置無線装置１１Ｂとの認証に失敗した（成功しなかった）と判定した場合、そのチャレンジ信号の送信から時間２Ｔを経過したときに、そのチャレンジ信号を設置無線装置１１Ｂに再送する。再送されたチャレンジ信号に対するレスポンス信号に基づく比較照合においても認証に失敗した場合には、その再送したチャレンジ信号の送信から時間２Ｔを経過したときに、そのチャレンジ信号を設置無線装置１１Ｂに再送する。そして、所定回数以上、設置無線装置１１Ｂとの認証に失敗した場合には、情報処理装置２１は、マスターＫＥＹの通信モードを認証モードからサーチモードに遷移させることが可能である。
【００５３】
ここで、図示はしないが、マスターＫＥＹの通信モードが認証モードの場合に、情報処理装置２１が設置無線装置１１Ｂとの認証に失敗する場合（例えば、レスポンス信号を受信できない場合）の具体的なシーケンスについて、説明する。なお、ここでは上記の所定回数を３回としている。
【００５４】
情報処理装置２１は、１６Ｔの周期で、チャレンジ信号を送信するが、それらのチャレンジ信号に対する設置無線装置１１Ｂからのレスポンス信号を受信できない場合、チャレンジ信号を送信した時点から２Ｔ後に、同じチャレンジ信号を再送する。情報処理装置２１は、チャレンジ信号再送１に対する携帯無線装置１１からのレスポンス信号を受信することができれば、チャレンジ信号（再送を除く）を設置無線装置１１Ｂに送信してから１６Ｔ経過したときに、チャレンジ信号を設置無線装置１１Ｂに送信する。
【００５５】
一方、情報処理装置２１は、チャレンジ信号再送１を送信した後、そのチャレンジ信号に対する設置無線装置１１Ｂからのレスポンス信号を受信できない場合、チャレンジ信号再送１を送信した時点から２Ｔ後に、同じチャレンジ信号を再送する。情報処理装置２１は、チャレンジ信号再送２に対する設置無線装置１１Ｂからのレスポンス信号を受信することができれば、先のチャレンジ信号（再送を除く）を携帯無線装置１１に送信してから１６Ｔが経過したときに、チャレンジ信号を設置無線装置１１Ｂに送信する。
【００５６】
さらに、情報処理装置２１は、チャレンジ信号を送信した後、チャレンジ信号再送１を送信した後、およびチャレンジ信号再送２を送信した後、いずれのチャレンジ信号に対しても設置無線装置１１Ｂからのレスポンス信号を受信できない場合、サーチ要求信号の送信を開始し、マスターＫＥＹの通信モードがサーチモードに遷移する。そして、情報処理装置２１は、情報処理装置２１に備わる機能の少なくとも一部に対する制限を加える、または、既に制限を加えた状態であればその制限を継続することになる。他方、設置無線装置１１Ｂは、情報処理装置２１からチャレンジ信号（再送を除く）を受信すべき時点から４Ｔ経過すると（つまり、情報処理装置２１が一連の３度のチャレンジ信号の送信にかかる時間経過すると）、２Ｔ間隔の情報処理装置２１に対する認証チャネルのキャリアセンスを中止し、同時点ではサーチチャネルのキャリアセンスのみを行うことになる。なお、ここでは、情報処理装置２１がチャレンジ信号の再送を最大２回送信するシーケンスについて説明したが、再送する回数は何回でもよい（再送なしでもよい）。
【００５７】
なお、設置無線装置１１Ｂは、情報処理装置２１からのチャレンジ信号を受信できたものの、情報処理装置２１が、設置無線装置１１Ｂから送信されたレスポンス信号を受信できない場合もある。設置無線装置１１Ｂは、レスポンス信号を送信した後、情報処理装置２１からのチャレンジ信号再送１、再送２を受信すれば、レスポンス信号を再送することになる。
【００５８】
チャレンジ信号を送信（再送含む）した情報処理装置２１は、その後設置無線装置１１Ｂから受信するレスポンス信号の受信強度を計測する、または、情報処理装置２１から受信した信号の受信強度を計測する設置無線装置１１Ｂからレスポンス信号を用いてその受信強度を通知されている。レスポンス信号を受信した情報処理装置２１は、設置無線装置１１Ｂとの認証に成功したと判定した場合、そのレスポンス信号から計測したまたは通知された信号の受信強度が所定値未満であれば、認証モードを維持するものの、情報処理装置２１に備わる機能の少なくとも一部に対する制限を継続する。一方、情報処理装置２１は、そのレスポンス信号から計測したまたは通知された信号の受信強度が所定値以上であれば、認証モードを維持し、情報処理装置２１に備わる機能の少なくとも一部に対する制限を解除する。
【００５９】
なお、例えばチャレンジ信号およびレスポンス信号が８ｂｙｔｅの信号である場合には、チャレンジ信号を１ｂｙｔｅずつ８つに分割し、時間１６Ｔ毎に１ｂｙｔｅ分のチャレンジ信号、レスポンス信号の送受信を順に行ってもよい。
【００６０】
また、情報処理装置２１は、時間１６Ｔ毎にそれぞれ計測したまたは通知された複数の信号の受信強度に基づいて、総合的に受信強度が所定値以上か未満かを判定するようにしてもよい。また、情報処理装置２１は、そのレスポンス信号の受信強度を計測する機能と、携帯無線装置１１からレスポンス信号を用いてその受信強度を取得する機能と、を有している場合には、それぞれの機能から得た受信強度のうちの、大きいもの（または小さいもの）が、所定値以上か未満かを判定するようにしてもよい。
【００６１】
ところで、携帯無線装置１１Ａは、マスターＫＥＹの通信モードが認証モードである場合にサーチ要求信号を受信すると、情報処理装置２１にサーチ信号を送信する。また、設置無線装置１１Ｂは、マスターＫＥＹの通信モードが認証モードである場合にサーチ要求信号を受信すると、サーチ要求信号に対する応答を示すＡＣＫ信号を情報処理装置２１に送信する。これらのサーチ要求信号およびＡＣＫ信号には、送信元や送信先を示す情報が含まれている。なお、マスターＫＥＹの通信モードが認証モードである場合には、基本的に、サブＫＥＹの通信モードはサーチモードとなっている。
【００６２】
情報処理装置２１は、携帯無線装置１１Ａからのサーチ信号および設置無線装置１１ＢからのＡＣＫ信号を受信すると、それぞれの信号について受信レベルを判定する。情報処理装置２１は、ＡＣＫ信号の受信レベルが所定レベル以上である場合、または、サーチ信号の受信レベルが所定レベル以下である場合には、図２に示すように、引き続きマスターＫＥＹの通信モードを認証モードとして認証モードにおける処理を継続する。
【００６３】
同様に、情報処理装置２１は、先に説明したように、所定回数以上、設置無線装置１１Ｂとの認証に失敗しなかった場合、または、サーチ信号の受信レベルが所定レベル以下である場合には、図２に示すように、引き続きマスターＫＥＹの通信モードを認証モードとして認証モードにおける処理を継続する。
【００６４】
一方、情報処理装置２１は、ＡＣＫ信号の受信レベルが所定レベル以下である場合、かつ、サーチ信号の受信レベルが所定レベル以上である場合には、図３に示すように、サーチ信号に対するサーチ応答を携帯無線装置１１Ａに送信する。
【００６５】
同様に、情報処理装置２１は、先に説明したように、所定回数以上、設置無線装置１１Ｂとの認証に失敗した場合、かつ、サーチ信号の受信レベルが所定レベル以上である場合には、図３に示すように、サーチ信号に対するサーチ応答を携帯無線装置１１Ａに送信する。
【００６６】
携帯無線装置１１Ａは、サーチ応答を受信すると、省電力状態を解除する。例えば、キャリアセンスの間隔を通常の状態に戻す。サーチ応答が携帯無線装置１１Ａに受信された後、情報処理装置２１と携帯無線装置１１Ａとの間で、キーＩＤ信号、端末ＩＤ信号、チャレンジリクエスト信号、チャレンジ信号、レスポンス信号、およびＡＣＫ信号の送受信が行われる。これらの信号の送受信の方法は、図１にて説明したサーチ応答からＡＣＫ信号の送受信について説明した方法と同一である。
【００６７】
情報処理装置２１は、ＡＣＫ信号を送信することでサブＫＥＹの通信モードが認証モードに遷移すると、マスターＫＥＹの通信モードを認証モードからサーチモードへ切り替えるための切替信号を設置無線装置１１Ｂに送信する。設置無線装置１１Ｂは、切替信号を受信し、マスターＫＥＹの通信モードをサーチモードへ切り替える。
【００６８】
また、情報処理装置２１が、マスターＫＥＹの通信モードが認証モードに遷移する直前のレスポンス信号を受信してから時間２Ｔが経過したとき、その時点までに乱数を発生させて生成しておいたチャレンジ信号を設置無線装置１１Ｂに送信することを先に説明したが、ここでは同様に、サブＫＥＹの通信モードが認証モードに遷移する直前のレスポンス信号を受信してから時間２Ｔが経過したとき、その時点までに乱数を発生させて生成しておいたチャレンジ信号を携帯無線装置１１Ａに送信する。
【００６９】
なお、サブＫＥＹの通信モードが認証モードである場合（図１も含む）の情報処理装置２１および携帯無線装置１１Ａのチャレンジ信号およびリクエスト信号の送受信処理（再送含む）については、マスターＫＥＹの通信モードが認証モードである場合の情報処理装置２１および設置無線装置１１Ｂのチャレンジ信号およびリクエスト信号の送受信処理（再送含む）と同様である。
【００７０】
ところで、情報処理装置２１は、上記の切替信号をいずれの無線装置１１に送るか（携帯無線装置１１Ａに送るかまたは設置無線装置１１Ｂに送るか）によって、つまり、切替信号の送信先に応じて、各種の設定を変更する。各種の設定とは、例えば、スクリーンセーバー、壁紙や待ち受け画面、着信音、マナーモード、使用権限やその他の設定など、情報処理装置２１に対する様々な設定が含まれる。また、各種の設定の変更は、図示はしないが、切替信号を送信してから無線装置１１からのレスポンス信号の受信強度が所定以上となるまで（つまり、情報処理装置２１の機能制限が解除されるまで）の任意のタイミングで行われる。
【００７１】
また、上記の切替信号には、報知機能が設けられた無線装置１１（不図示）に報知を要求する信号を含ませることができる。この報知では、例えば、無線装置１１に設けられたＬＥＤを点灯したり、無線装置１１に設けられたスピーカから音声や音楽を出力させたり、無線装置１１に設けられた表示部に文字列や画像を表示したりすることが行われる。したがって、切替信号を受信した無線装置１１は、受信した際に切替信号を受信した旨を様々な方法により報知を行うことが可能である。これにより、ユーザは各モードにおいてサーチモード、認証モードの切り替えが行われたタイミングを、無線装置１１により確認することが可能である。
【００７２】
また、上記の切替信号を無線装置１１に送信する際に、報知機能が設けられた情報処理装置２１は、切替信号を送信する旨を報知を行うようにしてもよい。これにより、ユーザは各モードにおいてサーチモード、認証モードの切り替えが行われたタイミングを、情報処理装置２１により確認することが可能である。
【００７３】
[本発明の実施形態の無線装置および情報処理装置の構成]
次に、本発明の実施形態の携帯無線装置および情報処理装置の構成について説明する。図４に、本発明の実施形態の携帯無線装置および情報処理装置の機能ブロック図を示す。本発明の実施形態の無線装置１１は、無線認証部１０、各種インタフェース１０４を含んで構成される。また、本発明の実施形態の情報処理装置２１は、無線認証部２０、駆動部３０、駆動制御部４０、ディスプレイ５０、操作部６０、報知部７０を含んで構成される。また、無線認証部１０は、無線部１０１、タイマ１０２、無線制御部１０３を含んで構成される。また、無線認証部２０は、無線部２０１、タイマ２０２、無線制御部２０３を含んで構成される。
【００７４】
無線装置１１の無線認証部１０において、無線部１０１は、アンテナを介して、４００ＭＨｚ帯特定小電力無線、ＲＦＩＤ（Radio Frequency Identification：無線周波数識別）で使用される短距離通信用の電波やＵＷＢ（Ultra Wide Band：超広帯域無線）等を用いて、ペアリング処理により当該無線装置１１と対に設定した情報処理装置２１の識別コードが含まれる電波の送受信を行う。
【００７５】
無線制御部１０３は、所定の通信プロトコル（すなわち、上記［無線装置と情報処理装置の間での無線認証シーケンス］にて説明した通信プロトコル）に基づき、無線部１０１に送受信させる信号を制御する。無線制御部１０３には、増幅回路、変調回路、復調回路、エンコード回路、デコード回路などの回路が含まれる。また、無線制御部１０３は、無線通信で使用される電波の受信強度（例えば、復調回路に入力される電波の電圧レベルやＳ／Ｎ比、デコード回路によりデコードされたデータの誤り率などを基に算出される）を計測するとともに、その受信強度が予め設定された閾値以上か未満かを判別する。
【００７６】
タイマ１０２は、無線部１０１が情報処理装置２１にレスポンス信号を送信した時点から計時を開始する。
【００７７】
インタフェース１０４は、例えば操作ボタンであり、無線装置１１の外部から入力される信号を適宜無線制御部１０３に出力するデバイスで構成される。
【００７８】
情報処理装置２１の無線認証部２０において、無線部２０１は、アンテナを介して、４００ＭＨｚ帯特定小電力無線、ＲＦＩＤ（Radio Frequency Identification：無線周波数識別）で使用される短距離通信用の電波やＵＷＢ（Ultra Wide Band：超広帯域無線）等を用いて、ペアリング処理により情報処理装置２１と対に設定した無線装置１１の識別コード信号が含まれる電波の送受信を行う。なお、無線部２０１は、送信部および受信部としての機能を有する。
【００７９】
無線制御部２０３は、所定の通信プロトコル（すなわち、上記［無線装置と情報処理装置の間での無線認証シーケンス］にて説明した通信プロトコル）に基づき、無線部２０１に送受信させる信号を制御する。無線制御部２０３には、増幅回路、変調回路、復調回路、エンコード回路、デコード回路などの回路が含まれる。また、無線制御部２０３は、無線通信で使用される電波の受信強度（例えば、復調回路に入力される電波レベルの電圧やＳ／Ｎ比、デコード回路によりデコードされたデータの誤り率などを基に算出される）を計測するとともに、その受信強度が予め設定された閾値以上か未満かを判別する。無線制御部２０３は、無線装置１１との認証に失敗した場合、または、無線装置１１から受信した電波の受信強度が所定値未満である場合、使用制限要求信号を駆動制御部４０に出力して、情報処理装置２１に備わる機能の少なくとも一部に対して制限を施す。一方、無線制御部２０３は、無線装置１１との認証に成功し、かつ、無線装置１１から受信した電波の受信強度が所定値以上である場合、使用制限解除信号を駆動制御部４０に出力し、情報処理装置２１に備わる機能に施されている制限を解除する。なお、無線制御部２０３は、受信レベル測定部としての機能を有する。
【００８０】
タイマ２０２は、無線部２０１が無線装置１１からレスポンス信号を受信した時点から計時を開始する。また、タイマ２０２は、無線装置１１から受信する各種信号のフレーム同期に合わせて、計時時刻を無線装置１１のタイムに合わせて補正するものとする。
【００８１】
駆動制御部４０は、無線制御部２０３から使用制限要求信号を通知されている期間中、情報処理装置２１により実行可能な各種駆動部３０に対して、その機能の実行に制限を加える。また、駆動制御部４０は、報知部７０による報知出力を制御する。また、駆動制御部４０は、情報処理装置２１内の各種の設定の変更を行う。なお、駆動制御部４０は、設定変更部としての機能を有する。
【００８２】
なお、本発明の無線装置の一形態としては、ワイヤレスキーが考えられるが、ワイヤレスキーに限るものではなく、携帯電話、ＰＤＡ、無線カードなどの電子機器が一機能として本発明の携帯無線装置を含む形態であっても構わない。
【００８３】
また、本発明の情報処理装置の一形態としては、ＰＣ、携帯電話、ＰＤＡやその他の電子機器が考えられる。
【００８４】
以上、本発明の実施形態の無線装置および情報処理装置によれば、無線装置と情報処理装置との間で無線認証を行う際に、ユーザの利便性を向上させることが可能である。例えば、ユーザが情報処理装置を持ち運ぶ場合、設置無線装置が設置されていない屋外では携帯無線装置を手元に携帯することで、また、設置無線装置が設置された屋内では携帯無線装置を手元から離れたところにあっても設置無線装置との通信可能圏内に所在することで、通信を継続して行うことが可能となる。また、認証の失敗を避けるために、場所に応じて、その都度、手動で情報処理装置の設定変更や機能解除をする必要がないため、ユーザの利便性が向上する。また、携帯無線装置および設置無線装置とのいずれとの間で通信を行うかによって、情報処理装置の各種設定（壁紙やスクリーンセーバーなど）を自動的に変更することが可能である。さらに、携帯無線装置および設置無線装置との通信を切り替えるタイミングを報知することによって、ユーザはこの切替タイミングを認識することが可能である。
【産業上の利用可能性】
【００８５】
本発明の情報処理装置、無線装置、設定変更方法、およびプログラムによれば、無線装置と情報処理装置との間で無線認証を行う際に、ユーザの利便性を向上させることが可能であるという効果を奏し、無線通信を利用して認証を行う無線装置、情報処理装置の分野に関して有用である。
【図面の簡単な説明】
【００８６】
【図１】本発明の実施形態の無線装置および情報処理装置によるマスターＫＥＹの通信モードがサーチモード時のシーケンス
【図２】本発明の実施形態の無線装置および情報処理装置によるマスターＫＥＹの通信モードが認証モード時のシーケンス
【図３】本発明の実施形態の無線装置および情報処理装置によるマスターＫＥＹの通信モードが認証モード時のシーケンスの他例
【図４】本発明の実施形態の無線装置および情報処理装置の機能ブロック図
【図５】本発明の実施形態の無線装置および情報処理装置の位置関係の示す図
【図６】本発明の実施形態の無線装置および情報処理装置の位置関係の示す図の他例
【符号の説明】
【００８７】
１１  無線装置
１１Ａ  携帯無線装置
１１Ｂ  設置無線装置
１０  無線認証部
１０１  無線部
１０２  タイマ
１０３  無線制御部
１０４  インタフェース
２１  情報処理装置
２０  無線認証部
２０１  無線部
２０２  タイマ
２０３  無線制御部
３０  駆動部
４０  駆動制御部
５０  ディスプレイ
６０  操作部
７０  報知部
【図１】
2009130622.tif 000003
【図２】
2009130622.tif 000004
【図３】
2009130622.tif 000005
【図４】
2009130622.tif 000006
【図５】
2009130622.tif 000007
【図６】
2009130622.tif 000008